(57)【要約】【課題】  駆動回路に供給するコモン電圧またはリセット電圧の誤差を小さくできる有機ＥＬ表示装置を提供する。【解決手段】  駆動回路１２は、有機ＥＬパネル１１を駆動する。昇圧回路１４は、駆動回路１２に駆動電圧Ｖｄを供給する。駆動回路１２は、前記駆動電圧Ｖｄを分圧してなるコモン電圧データＧと、前記駆動電圧Ｖｄを分圧してなるリセット電圧データＨと、の少なくとも一方を出力する電圧可変回路１７を有する。インピーダンス変換回路１５は、駆動回路１２から入力したコモン電圧データＧを変換したコモン電圧Ｖｃと、駆動回路１２から入力したリセット電圧データＨを変換したリセット電圧Ｖｒと、の少なくとも一方を出力する。【選択図】  図１
2010160369.tif 000002
【特許請求の範囲】
【請求項１】
有機ＥＬパネルと、前記有機ＥＬパネルを駆動する駆動回路と、前記駆動回路に駆動電圧を供給する昇圧回路と、を備えた有機ＥＬ表示装置であって、
前記駆動回路は、前記駆動電圧を分圧してなるコモン電圧データと、前記駆動電圧を分圧してなるリセット電圧データと、の少なくとも一方を出力する電圧可変回路を有すると共に、
前記駆動回路から入力した前記コモン電圧データを変換したコモン電圧と、前記駆動回路から入力した前記リセット電圧データを変換したリセット電圧と、の少なくとも一方を出力するインピーダンス変換回路を備えたことを特徴とする有機ＥＬ表示装置。
【請求項２】
前記インピーダンス変換回路は、前記コモン電圧と前記リセット電圧との少なくとも一方を前記駆動回路に出力することを特徴とする請求項１に記載の有機ＥＬ表示装置。
【請求項３】
前記インピーダンス変換回路は、前記コモン電圧データを前記コモン電圧に変換するオペアンプを有することを特徴とする請求項１に記載の有機ＥＬ表示装置。
【請求項４】
前記インピーダンス変換回路は、前記リセット電圧データを前記リセット電圧に変換するオペアンプを有することを特徴とする請求項１に記載の有機ＥＬ表示装置。
【発明の詳細な説明】
【技術分野】
【０００１】
本発明は、有機ＥＬパネルを駆動する駆動回路を備えた有機ＥＬ表示装置に関するものである。
【背景技術】
【０００２】
従来より、有機ＥＬパネル及びその有機ＥＬパネルを駆動する駆動回路を備えた有機ＥＬ表示装置が種々提案されており、例えば特許文献１に開示されている。図４に示すように、有機ＥＬ表示装置は、有機ＥＬパネル１，駆動回路２，表示コントローラ３，昇圧回路４，増幅回路５，６を有している。
【０００３】
有機ＥＬパネル１は、画素Ｅ１１〜Ｅｍｎがマトリクス状に配設されてなるものである（図５参照）。画素Ｅ１１〜Ｅｍｎは、横方向に複数設けられた走査ラインＳ１〜Ｓｍと、走査ラインＳ１〜Ｓｍと直交するように複数設けられたドライブラインＤ１〜Ｄｎとの交差箇所に設けられている。画素Ｅ１１〜Ｅｍｎは、並列配置されたダイオード及びコンデンサからなる等価回路で表される（図６参照）。ただし、図面が煩雑になることを防ぐため、図５においては画素Ｅ１１〜Ｅｍｎをダイオードのみで図示している。
【０００４】
昇圧回路４は、電源電圧を昇圧させて、駆動回路２及び表示コントローラ３に駆動電圧Ｖｄを供給するものである。増幅回路５は、表示コントローラ３からコモン電圧信号Ｅを入力し、このコモン電圧信号を増幅したコモン電圧Ｖｃを駆動回路２に出力するものである。増幅回路６は、表示コントローラ３からリセット電圧信号Ｆを入力し、このリセット電圧信号Ｆを増幅したリセット電圧Ｖｒを駆動回路２に出力するものである。
【０００５】
表示コントローラ３は、駆動回路２によって任意の走査ラインＳ１〜Ｓｍが選択されてから次の走査ラインＳ１〜Ｓｍが選択される間に、全てのドライブラインＤ１〜Ｄｎをリセット電圧Ｖｒにすると共に、全ての走査ラインＳ１〜Ｓｍをコモン電圧Ｖｃにすることにより、画素Ｅ１１〜Ｅｍｎに充電された電荷を放電させる。画素Ｅ１１〜Ｅｍｎに充電された電荷を放電させる時間は、「リセット時間」と称される。
【先行技術文献】
【特許文献】
【０００６】
【特許文献１】特開２００７−５７８５６号公報
【発明の概要】
【発明が解決しようとする課題】
【０００７】
しかしながら、駆動回路２に供給するコモン電圧Ｖｃ及びリセット電圧Ｖｒの誤差が大きいため、画素Ｅ１１〜Ｅｍｎの発光輝度にバラツキがあるという問題を有していた。例えば、コモン電圧信号Ｅ，リセット電圧信号Ｆの誤差が約７％であり、増幅回路５，６の増幅率が３倍であったとき、コモン電圧Ｖｃ，リセット電圧Ｖｒのバラツキは約２１％になる。
本発明は、この問題に鑑みなされたものであり、駆動回路に供給するコモン電圧またはリセット電圧の誤差を小さくするものである。
【課題を解決するための手段】
【０００８】
本発明は、請求項１に記載したように、有機ＥＬパネル１１と、前記有機ＥＬパネル１１を駆動する駆動回路１２と、前記駆動回路１２に駆動電圧Ｖｄを供給する昇圧回路１４と、を備えた有機ＥＬ表示装置であって、前記駆動回路１２は、前記駆動電圧Ｖｄを分圧してなるコモン電圧データＧと、前記駆動電圧Ｖｄを分圧してなるリセット電圧データＨと、の少なくとも一方を出力する電圧可変回路１７を有すると共に、前記駆動回路１２から入力した前記コモン電圧データＧを変換したコモン電圧Ｖｃと、前記駆動回路１２から入力した前記リセット電圧データＨを変換したリセット電圧Ｖｒと、の少なくとも一方を出力するインピーダンス変換回路１５を備えたものである。
【０００９】
また、本発明は、請求項２に記載したように、前記インピーダンス変換回路１５は、前記コモン電圧Ｖｃと前記リセット電圧Ｖｒとの少なくとも一方を前記駆動回路１２に出力するものである。
【００１０】
また、本発明は、請求項３に記載したように、前記インピーダンス変換回路１５は、前記コモン電圧データＧを前記コモン電圧Ｖｃに変換するオペアンプ２１を有するものである。
【００１１】
また、本発明は、請求項４に記載したように、前記インピーダンス変換回路１５は、前記リセット電圧データＨを前記リセット電圧Ｖｒに変換するオペアンプ２２を有するものである。
【発明の効果】
【００１２】
駆動電圧を分圧してなるコモン電圧データ，リセット電圧データに基づいてコモン電圧，リセット電圧を駆動回路に供給するため、コモン電圧またはリセット電圧の誤差を小さくすることができ、有機ＥＬパネルの発光輝度のバラツキを低減できる。
【図面の簡単な説明】
【００１３】
【図１】本発明の実施形態を示すブロック図。
【図２】同上実施形態を示す回路図。
【図３】同上実施形態を示すインピーダンス変換回路の回路図。
【図４】従来例を示すブロック図。
【図５】同上従来例を示す回路図。
【図６】同上従来例を示す回路図。
【発明を実施するための形態】
【００１４】
以下、添付の図面に基づいて、本発明の一実施例を説明する。
【実施例１】
【００１５】
有機ＥＬ表示装置は、有機ＥＬパネル１１，駆動回路１２，表示コントローラ１３，昇圧回路１４，インピーダンス変換回路１５を備えている。
有機ＥＬパネル１１は、画素Ｅ１１〜Ｅｍｎがマトリクス状に配設されてなるものである。画素Ｅ１１〜Ｅｍｎは、横方向に複数設けられた走査ラインＳ１〜Ｓｍと、走査ラインＳ１〜Ｓｍと直交するように複数設けられたドライブラインＤ１〜Ｄｎとの交差箇所に設けられている。
【００１６】
駆動回路１２は、各走査ラインＳ１〜Ｓｍに対応する複数の走査スイッチ２１〜２ｍと、各ドライブラインＤ１〜Ｄｎに対応して個々に駆動電流を供給する定電流源Ａと、この定電流源Ａからの駆動電流を各ドライブラインＤ１〜Ｄｎに接続可能とするドライブスイッチ３１〜３ｎと、を備えている（図２参照）。更に、駆動回路１２は、表示コントローラ１３から入力した制御信号Ｃに含まれる輝度データに対応する電圧値データＤを出力するデコーダ１６と、駆動電圧Ｖｄを分圧したコモン電圧データＧ及びリセット電圧データＨをインピーダンス変換回路１５に出力する電圧可変回路１７と、を備えている（図１参照）。電圧可変回路１７は、選択回路１８及び抵抗群１９を有している。
【００１７】
走査スイッチ２１〜２ｍは、表示コントローラ１３からの制御信号Ｃに基づいて、各走査ラインＳ１〜Ｓｍを選択的にコモン電圧Ｖｃまたはアース電位（０Ｖ）に接続するものである。つまり、選択される走査ラインＳ１〜Ｓｍはアース電位になると共に、選択されない走査ラインＳ１〜Ｓｍにある画素Ｅ１１〜Ｅｍｎには、コモン電圧Ｖｃが印加される。ドライブスイッチ３１〜３ｎは、表示コントローラ１３からの制御信号Ｃに基づいて、各ドライブラインＤ１〜Ｄｎを選択的に定電流源Ａまたはリセット電圧Ｖｒに接続するものである。
【００１８】
表示コントローラ１３は、走査スイッチ２１〜２ｍによって任意の走査ラインＳ１〜Ｓｍが選択されてから次の走査ラインＳ１〜Ｓｍが選択される間に、全てのドライブラインＤ１〜Ｄｎをリセット電圧Ｖｒに接続することにより、画素Ｅ１１〜Ｅｍｎに充電された電荷を放電させる。リセット時間においては、ドライブラインＤ１〜Ｄｎだけでなく、全ての走査ラインＳ１〜Ｓｍもコモン電圧Ｖｃに接続される。
【００１９】
駆動回路１２は、表示コントローラ１３から入力した制御信号Ｃに含まれる輝度データに対応する電圧値データＤを出力するデコーダ１６を有しており、このデコーダ１６は、選択回路１７に電圧値データＤを出力する。選択回路１７は、抵抗群１９によって駆動電圧Ｖｄを分圧したコモン電圧データＧ及びリセット電圧データＨをインピーダンス変換回路１５に出力する。
【００２０】
昇圧回路１４は、電源電圧を昇圧させて、駆動回路１２に駆動電圧Ｖｄを供給する。インピーダンス変換回路１５は、駆動回路１２からコモン電圧データＧ及びリセット電圧データＨを入力し、駆動回路１２にコモン電圧Ｖｃ及びリセット電圧Ｖｒを出力する。
【００２１】
図３はインピーダンス変換回路１５の回路図である。インピーダンス変換回路１５は、オペアンプ２１，２２及びトランジスタ２３，２４を有している。オペアンプ２１はコモン電圧データＧを入力するものであり、このオペアンプ２１の出力端子２１ａは、抵抗Ｒ１を介して、トランジスタ２３に接続されている。トランジスタ２３は、駆動回路１２にコモン電圧Ｖｃを出力する。オペアンプ２２は、リセット電圧データＨを入力するものであり、このオペアンプ２２の出力端子２２ａは、抵抗Ｒ２を介して、トランジスタ２４に接続されている。トランジスタ２４は、駆動回路１２にリセット電圧Ｖｒを出力する。
【００２２】
本実施形態によれば、駆動電圧Ｖｄを分圧してなるコモン電圧データＧ及びリセット電圧データＨに基づいて、コモン電圧Ｖｃ及びリセット電圧Ｖｒを駆動回路１２に供給するため、コモン電圧Ｖｃまたはリセット電圧Ｖｒの誤差を小さくすることができ、有機ＥＬパネル１１の発光輝度のバラツキを低減できる。
【産業上の利用可能性】
【００２３】
本発明は、有機ＥＬパネルの発光輝度を調整可能な有機ＥＬ表示装置に好適である。
【符号の説明】
【００２４】
１１  有機ＥＬパネル
１２  駆動回路
１４  昇圧回路
１５  インピーダンス変換回路
１７  電圧可変回路
２１  オペアンプ
２２  オペアンプ
Ｖｄ  駆動電圧
Ｖｃ  コモン電圧
Ｖｒ  リセット電圧
Ｇ  コモン電圧データ
Ｈ  リセット電圧データ
【図１】
2010160369.tif 000003
【図２】
2010160369.tif 000004
【図３】
2010160369.tif 000005
【図４】
2010160369.tif 000006
【図５】
2010160369.tif 000007
【図６】
2010160369.tif 000008